【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
踏段板を有するエスカレータに作業用足場台を取り外し可能に結合している作業用足場台付エスカレータであって、
踏段板に設けられた開口部と、
踏段板において、開口部の下側に固定された踏段板下側固定部と、
踏段板下側固定部に結合された脚部固定部と、を備え、
脚部固定部に、作業用足場台を構成する脚立部の下部を取り外し可能に結合していることを特徴とする作業用足場台付エスカレータ。
【請求項２】
請求項１に記載の作業用足場台付エスカレータにおいて、
踏段板下側固定部は、脚部固定部を収納する収納部であり、
エスカレータから作業用足場台を取り外した状態で、収納部の上部開口を、踏段板構成カバーにより閉塞可能としていることを特徴とする作業用足場台付エスカレータ。
【請求項３】
請求項１または請求項２に記載の作業用足場台付エスカレータにおいて、
作業用足場台は、２本の脚立部の頂部を連結部により連結しており、
２本の脚立部は互いに長さが異なり、２本の脚立部のうち、少なくとも一方の脚立部に、人が昇降するための踏み桟を設けていることを特徴とする作業用足場台付エスカレータ。
【請求項４】
請求項１から請求項３のいずれか１に記載の作業用足場台付エスカレータにおいて、
踏段板下側固定部を構成する壁板部に支持したピンに脚部固定部を、ピンを中心とする揺動可能に支持していることを特徴とする作業用足場台付エスカレータ。
【請求項５】
請求項１から請求項４のいずれか１に記載の作業用足場台付エスカレータにおいて、
脚部固定部は複数のスライド要素により構成し、
少なくとも１個のスライド要素に別のスライド要素を、１個のスライド要素に対する摺動可能に支持することにより、脚部固定部の全長を伸縮可能としていることを特徴とする作業用足場台付エスカレータ。
【請求項６】
請求項５に記載の作業用足場台付エスカレータにおいて、
脚部固定部を構成する少なくとも１個のスライド要素に長さ調節用の複数の第１調節用孔を形成するとともに、別のスライド要素に第２調節用孔を形成しており、
第１調節用孔および第２調節用孔に係合部材を挿通した状態で、第１調節用孔および第２調節用孔から係合部材が抜け出るのを阻止していることを特徴とする作業用足場台付エスカレータ。
【請求項７】
踏段板を有するエスカレータに作業用足場台を取り外し可能に結合可能とする作業用足場台結合機能付きエスカレータであって、
踏段板に設けられた開口部と、
踏段板において、開口部の下側に固定された踏段板下側固定部と、
踏段板下側固定部に結合された脚部固定部と、を備え、
脚部固定部は、作業用足場台を構成する脚立部の下部を取り外し可能に結合可能とすることを特徴とする作業用足場台結合機能付エスカレータ。
【手続補正２】
【補正対象書類名】明細書
【補正対象項目名】発明の名称
【補正方法】変更
【補正の内容】
【発明の名称】作業用足場台付エスカレータ及び作業用足場台結合機能付エスカレータ
【手続補正３】
【補正対象書類名】明細書
【補正対象項目名】０００１
【補正方法】変更
【補正の内容】
【０００１】
本発明は、踏段板を有するエスカレータに作業用足場台を取り外し可能に結合している作業用足場台付エスカレータ及び作業用足場台結合機能付エスカレータに関する。
【手続補正４】
【補正対象書類名】明細書
【補正対象項目名】０００９
【補正方法】変更
【補正の内容】
【０００９】
本発明の目的は、作業用足場台付エスカレータ及び作業用足場台結合機能付エスカレータにおいて、作業用足場台の設置作業および作業用足場台を使用する作業を一人で行えるようにするとともに、作業用足場台が踏段板に対しずれるのをより有効に防止することを目的とする。
【手続補正５】
【補正対象書類名】明細書
【補正対象項目名】００１０
【補正方法】変更
【補正の内容】
【００１０】
本発明に係る作業用足場台付エスカレータは、踏段板を有するエスカレータに作業用足場台を取り外し可能に結合している作業用足場台付エスカレータであって、踏段板に設けられた開口部と、踏段板において、開口部の下側に固定された踏段板下側固定部と、踏段板下側固定部に結合された脚部固定部と、を備え、脚部固定部に、作業用足場台を構成する脚立部の下部を取り外し可能に結合していることを特徴とする作業用足場台付エスカレータである。
【手続補正６】
【補正対象書類名】明細書
【補正対象項目名】００１５
【補正方法】変更
【補正の内容】
【００１５】
また、より好ましくは、脚部固定部を構成する少なくとも１個のスライド要素に長さ調節用の複数の第１調節用孔を形成するとともに、別のスライド要素に第２調節用孔を形成し、第１調節用孔および第２調節用孔に係合部材を挿通し、第１調節用孔および第２調節用孔から係合部材が抜け出るのを阻止する。
また、本発明に係る作業用足場台結合機能付きエスカレータは、踏段板を有するエスカレータに作業用足場台を取り外し可能に結合可能とする作業用足場台結合機能付きエスカレータであって、踏段板に設けられた開口部と、踏段板において、開口部の下側に固定された踏段板下側固定部と、踏段板下側固定部に結合された脚部固定部と、を備え、脚部固定部は、作業用足場台を構成する脚立部の下部を取り外し可能に結合可能とすることを特徴とする作業用足場台結合機能付エスカレータである。
【手続補正７】
【補正対象書類名】明細書
【補正対象項目名】００１６
【補正方法】変更
【補正の内容】
【００１６】
本発明に係る作業用足場台付エスカレータ及び作業用足場台結合機能付エスカレータによれば、作業用足場台をエスカレータから取り外した状態で、作業用足場台を設置する場合に、踏段板下側固定部に予め結合した脚部固定部に脚立部の下部をボルト等により結合すればよく、作業用足場台の設置作業を行う毎に踏段板に脚部固定部を結合する必要がない。また、脚部固定部は開口部の下側に位置するため、脚部固定部を踏段板に対し取り外し容易となるように結合する必要がない。このため、脚部固定部は、踏段板下側固定部に対し、取り外しを容易とするための摩擦力を使用する結合構造ではなく、十分な結合強度を持つ結合構造で結合できる。このため、作業用足場台上で作業者が作業する際に、作業用足場台を下から補助者が支える必要がなく、しかも、作業用足場台が踏段板に対しずれるのをより有効に防止できる。また、特許文献１に記載された段違い脚立をエスカレータに設置する場合と異なり、作業用足場台と踏段板との結合強度に、踏段板に付着したごみ等の異物や油分による結合部分の摩擦力の低下が影響を与えることがない。この結果、作業用足場台を使用する作業を一人で容易に行えるとともに、作業時の安全をより有効に確保できる。
【手続補正８】
【補正対象書類名】明細書
【補正対象項目名】００１７
【補正方法】変更
【補正の内容】
【００１７】
また、本発明に係る作業用足場台付エスカレータ及び作業用足場台結合機能付エスカレータによれば、上記の特許文献１に記載された段違い脚立をエスカレータに設置する場合と異なり、作業用足場台を踏段板に結合する際の大きな結合強度を得るために、大きな摩擦力を得るための押圧機構や大きい固定板および移動板を使用する必要がなく、作業用足場台の運搬および設置作業を一人で容易に行える。
【手続補正９】
【補正対象書類名】明細書
【補正対象項目名】００２３
【補正方法】変更
【補正の内容】
【００２３】
［第１の発明の実施の形態］
以下において、図面を用いて本発明に係る実施の形態につき詳細に説明する。図１から図５は、本発明の第１の実施の形態の作業用足場台付エスカレータを示している。図１は、作業用足場台付エスカレータの部分斜視図である。図１に示すように、作業用足場台付エスカレータは、複数の踏段板１２を有する、作業用足場台結合機能付エスカレータである、エスカレータ１１に、作業用足場台である段違い足場台２６を取り外し可能に結合して構成している。複数の踏段板１２のそれぞれの片側（図１の右側）にクリートライザ２８を設けている。